(57)【要約】【課題】  取り付け取り外し作業の手間暇を軽減し、交換作業を簡単化、迅速化でき、作業者の巧拙に左右されることなく工場出荷の状態に誰でも確実にセットできるようにする。【解決手段】  ズボン５を吊下げた状態で仕上げるズボン仕上げ機１のフレーム２の前側に垂設されているセット板４に被せ、熱風で膨張させて、下方から外装状に挿し嵌めるズボン５の腰回り部５ａを緊張仕上げするズボン仕上げ機用の膨張袋であって、上側の開口周縁部６と、上記のセット板４の開放状の周縁に対応するセット板４周りの内側周縁部７とに、紐通し用の袋状部８を形成する。この袋状部８に紐１１を通す。この紐１１の袋状部８の開放端から突き出た両端部に、取付箇所に適宜設けている突起１２に引っ掛けるための環状の引っ掛け部１１ａを形成する。【選択図】      図１
2005137535.tif 000002
【特許請求の範囲】
【請求項１】
ズボンを吊下げた状態で仕上げるズボン仕上げ機のフレームの前側に垂設されているセット板に被せられ、熱風で膨張して、下方から外装状に挿し嵌められるズボンの腰回り部を緊張仕上げするズボン仕上げ機用の膨張袋であって、上側の開口周縁部と、上記のセット板の開放状の周縁に対応するセット板周りの内側周縁部とに紐通し用の袋状部が形成され、この袋状部に紐が通され、この紐の袋状部の開放端から突き出された両端部に、取付箇所に適宜設けられている突起に引っ掛けるための環状の引っ掛け部が形成されていることを特徴とするズボン仕上げ機用の膨張袋。
【請求項２】
請求項１記載のズボン仕上げ機用の膨張袋であって、上側の開口周縁部が、セット板の表側に対応する前側部分と、裏側に対応する後側部分との二つに分けられ、セット板周りの内側周縁部の下部が、二股状のセット板に対応して二股状に形成され、この内側周縁部に設けられている袋状部が、ほぼ釣針形に左右対称状に夫々独立して形成されていることを特徴とするズボン仕上げ機用の膨張袋。
【請求項３】
請求項２記載のズボン仕上げ機用の膨張袋であって、前側部分の開口周縁部の袋状部が、上下位置に一対状に形成されていることを特徴とするズボン仕上げ機用の膨張袋。
【請求項４】
請求項１乃至３の何れかに記載のズボン仕上げ機用の膨張袋であって、環状の引っ掛け部が、紐の先端を返して紐同士を締結することにより、直列に複数形成されていることを特徴とするズボン仕上げ機用の膨張袋。
【発明の詳細な説明】
【技術分野】
【０００１】
本発明は、ズボン仕上げ機用の膨張袋に関し、更に詳しくはズボンの腰回り部の内部に配置し、この箇所を緊張仕上げするためのズボン仕上げ機用の膨張袋に関するものである。
【背景技術】
【０００２】
従来この種の膨張袋としては、例えば特許文献１に記載されているように、ズボンを吊下げた状態で仕上げるズボン仕上げ機のフレームの前側に垂設されているセット板に被せられ、熱風で膨張して、下方から外装状に挿し嵌められるズボンの腰回り部を緊張仕上げするよう形成されているものがある。
この場合、従来、この種の膨張袋の取り付けは、フレーム等の適宜位置に紐で縛り付けたり、或いは上側の開口上縁部を取付位置に嵌め付けてから、カバー等で固定しているのが通例であった。従って従来品の場合は、取り付け取り外し作業が不便で、着脱操作に手間暇がかかり、作業者によって締め具合にばらつきが生じ易かったから、従来品によると取り付け取り外し作業に熟練を要し、交換作業を簡単且つ迅速にできない、という問題点があった。
【特許文献１】特開２０００−１４９９９号公報
【発明の開示】
【発明が解決しようとする課題】
【０００３】
本発明は、このような従来技術の問題点に鑑み、提案されたものである。
従って本発明の解決しようとする技術的課題は、取り付け取り外し作業の手間暇を軽減し、交換作業を簡単化、迅速化でき、作業者の巧拙に左右されることなく工場出荷の状態に誰でも確実にセットできるよう形成したズボン仕上げ機用の膨張袋を提供することにある。
【課題を解決するための手段】
【０００４】
本発明は、上記の課題を解決するため、次のような技術的手段を採る。
即ち本発明は、図１等に示されるように、ズボン５を吊下げた状態で仕上げるズボン仕上げ機１のフレーム２の前側に垂設されているセット板４に被せられ、熱風で膨張して、下方から外装状に挿し嵌められるズボン５の腰回り部５ａを緊張仕上げするズボン仕上げ機用の膨張袋であって、上側の開口周縁部６と、上記のセット板４の開放状の周縁に対応するセット板４周りの内側周縁部７とに紐通し用の袋状部８が形成され、この袋状部８に紐１１が通され、この紐１１の袋状部８の開放端から突き出された両端部に、取付箇所に適宜設けられている突起１２に引っ掛けるための環状の引っ掛け部１１ａが形成されていることを特徴とする（請求項１）。
本発明の場合、紐１１の長さや材質は任意である。また紐１１は、非伸縮性のものには限定されず、例えば取り付け取り外し操作が容易になるよう、多少伸縮性を有して形成されているのでも良い。
【０００５】
また請求項１記載の本発明は、上側の開口周縁部６が、セット板４の表側に対応する前側部分６ａと、裏側に対応する後側部分６ｂとの二つに分けられ、セット板４周りの内側周縁部７の下部が、二股状のセット板４に対応して二股状に形成され、この内側周縁部７に設けられている袋状部８が、ほぼ釣針形に左右対称状に夫々独立して形成されているのが好ましい（請求項２）。
【０００６】
なぜならこれによると、上側の開口周縁部６が前後に二つに分けられているから、セット板４の表側と裏側に開口周縁部６をぴったりと固定し易いからである。またセット板４周りの内側周縁部７の袋状部８が左右一対状に独立しているため、これによるとセット板４の開放状の周縁に対して、先ず一方側、次に他方側と、順次、取り付け取り外しでき、着脱操作を一層容易化できるからである。
【０００７】
またこの本発明の場合は、前側部分６ａの開口周縁部６の袋状部８が、上下位置に一対状に形成されているのが好ましい（請求項３）。
なぜならこれによると、パッド部１５を有する分だけ後側に比べて重い前側部分６ａを、セット板４からずれ落ちさせることなく、確実に取り付けることができるからである。
【０００８】
また請求項１乃至３の何れかに記載の本発明の場合は、環状の引っ掛け部１１ａが、紐１１の先端を返して紐１１同士を締結することにより、直列に複数形成されているのが好ましい（請求項４）。
なぜならこれによると、引っ掛け部１１を簡単且つ低コストで形成でき、また突起１２に対応する最適な引っ掛け部１１ａを選定でき、取り付け取り外し操作を一層容易化できるからである。
【発明の効果】
【０００９】
本発明の膨張袋は、上記の通り、上側の開口周縁部と、セット板の開放状の周縁に対応するセット板周りの内側周縁部とに紐通し用の袋状部を形成し、この袋状部に紐を通し、この紐の袋状部の開放端から突き出させた両端部に、取付箇所に適宜設けている突起に引っ掛けるための環状の引っ掛け部を形成しているものである。
従って本発明の場合は、突起に引っ掛け部を引っ掛けたり、突起から引っ掛け部を取り外すことで簡単に着脱できるから、これによれば取り付け取り外し作業の手間暇を軽減でき、交換作業を簡単化、迅速化できる。また作業者の巧拙に左右されることがないから、これによれば工場出荷の状態に誰でも確実にセットできる。
【発明を実施するための最良の形態】
【００１０】
以下、本発明を実施するための最良の形態を説明する。
図１等において、１はズボン仕上げ機であり、２はこのズボン仕上げ機１のフレームである。本発明の膨張袋３は、全体が例えばポリエステル繊維製の生地で形成され、図示されるように、フレーム２の前側に垂れ下げられて設けられているセット板４に被せられ、熱風で膨張して、下方から外装状に挿し嵌められるズボン５の腰回り部５ａを緊張仕上げするものである。
【００１１】
また本発明品は、上側の開口周縁部６と、セット板４の開放状の周縁である両側辺及び下辺に対応するセット板４周りの内側周縁部７とに、この実施形態では端部が折り返されて縫い合わされることにより、紐通し用の袋状部８が形成されている。この場合、上側の開口周縁部６は、セット板４の表側に対応する前側部分６ａと、裏側に対応する後側部分６ｂとの二つに分けられている。またセット板４周りの内側周縁部７の下部は、二股状のセット板４に対応して二股状に形成され、この内側周縁部７に設けられている袋状部８が、ほぼ釣針形に左右対称状に且つ夫々独立して形成されている。
【００１２】
セット板４は、図６に示されるように、多数の貫通孔４ａを有し、パンチングメタル状に形成されている。またこのセット板４は、内面に銅管９が配管され、この銅管９内にスチームが通され、スチームで加熱可能に形成されている。銅管９には、スチームの噴出孔９ａが多数形成されている。
【００１３】
前側部分６ａの袋状部８は、生地の折り返し幅が幅広状にとられて縫い合わされ、上下位置に一対状に形成されている。また本発明の膨張袋３は、側面に縦方向にファスナー１０が設けられ、片方の側面が開閉可能に形成されている。
【００１４】
袋状部８には、この実施形態では非伸縮性の紐１１が通されている。そして本発明では、この袋状部８の開放端から突き出された紐１１の両端部に、取付箇所に適宜設けられている突起１２に引っ掛けるための環状の引っ掛け部１１ａが形成されている。前側部分６ａの袋状部８に通されている紐１１の引っ掛け部１１ａは、この実施形態では、紐１１の一方の端部に１個、他方の端部に２個形成されている。即ち、紐１１の一方の端部の引っ掛け部１１ａは、紐１１の先端が返されると共に、紐１１同士が別の細紐１３で結ばれることにより、環状に形成されている。また紐１１の他方の端部の引っ掛け部１１ａは、紐１１の先端が返されて紐１１同士が別の細紐１３で一定の間隔をあけて締結され、直列に二個形成されている。
【００１５】
なお１４（図４参照）は、引っ掛け部１１ａを突起１２に引っ掛けた後、隣接する突起１２に引っ掛けて、引っ掛け状態を堅固にしたり、紐１１の端部が袋状部８内に引き戻されることを防止するためのリング紐である。突起１２は、図６、図７等に示されるように、セット板４の内側の周縁部や、フレーム２の外側面部などに、引っ掛け部１１ａに対応して適宜設けられている。
【００１６】
本発明品は、セット板４に対応する前側の位置がパッド部１５（図１、図２等参照）に形成され、このパッド部１５の下部はセット板４の形状に合わせて二股状に形成されている。また図５等に示されるように、本発明品の背面の上部には、ポケット部１６が形成され、このポケット部１６の外面にズボン５の腰回り部５ａの後側内面を鉤着するための面状ファスナー１７が複数設けられている。ポケット部１６には、図７に示されるように、膨張袋３の後側を後方に牽引するためのプレート１８が挿入される。１９（図５参照）は、本発明品の後側を、プレート１８と棒状の案内体２０（図７参照）とに縛り付けるための帯紐であり、この帯紐１９はポケット部１６の両側に設けられている。
【００１７】
なおズボン仕上げ機１は、図１に示されるように、フレーム２の両側に、タック押え部材１ａが左右一対状に設けられている。ズボン５の腰回り部５ａの左右のタックは、このタック押え部材１ａでセット板４に押さえ付けられる。また本発明品の背面には、図５に示されるように、熱風の供給管２１（図８参照）を取り付けるための取付部２２が切れ目状に形成されている。
【００１８】
次に本発明品の使用例を説明する。
作業者は、先ず上側の開口周縁部６の前側部分６ａの内面をセット板４の上部にあてがい、一方の引っ掛け部１１ａを、フレーム２の外側面部の一方の突起１２に、他方の引っ掛け部１１ａを他方の突起１２に引っ掛ける（図７参照）。次に作業者は、図６に示されるように、本発明品の内側周縁部７をセット板４の側辺及び下辺にあてがい、各袋状部８に通されている紐１１の引っ掛け部１１ａを、セット板４の内側の適宜位置に設けられている突起１２に夫々引っ掛ける。この実施形態では、上側にあたる一方の引っ掛け部１１ａを、セット板４の内側上部の突起１２を介して下方に引き降ろした後、中程の突起１２に引っ掛ける。そして下側の引っ掛け部１１ａを、セット板４の内側下部の一方の突起１２に引っ掛け、他方側の袋状部８に通されている紐１１についても同様の引っ掛け操作を行ない、セット板４の側辺及び下辺を、本発明品の内側周縁部７で包み込むようにして本発明品をセット板４に被せる。
【００１９】
次に作業者は、後側部分６ｂの袋状部８に通されている紐１１の一方の引っ掛け部１１ａを、フレーム２の外側面部の一方の突起１２に引っ掛け、他方の引っ掛け部１１ａを他方の突起１２に引っ掛ける（図８参照）。そして作業者は、例えばファスナー１０を引き上げて側面を閉じてから、図７に示されるように、背面のポケット部１６をプレート１８に下方から差し嵌め、帯紐１９をプレート１８と案内体２０に縛り付ける。そして作業者は、この状態で図１に示されるように、ズボン５を本発明品に下方から挿し嵌め、左右のタック押え部材１ａを前側に回してズボン５のタックをセット板４に押し付ける。その後、本発明品の内部に、供給管２１を介して熱風を供給する。これにより本発明品は、膨張し、銅管９の噴出孔９ａから吹き出るスチームでズボン５を蒸らしながら、腰回り部５ａを緊張仕上げする。
【図面の簡単な説明】
【００２０】
【図１】本発明の膨張袋の好適な一実施形態を示す使用状態時の要部正面図である。
【図２】同上膨張袋の正面図である。
【図３】同上膨張袋の平面図である。
【図４】図３のＩＶ−ＩＶ線における断面図である。
【図５】同上膨張袋の背面図である。
【図６】同上膨張袋の取付操作を説明するための、セット板の裏側から見た要部斜視図である。
【図７】同上膨張袋の取付操作を説明するための要部右側面図である。
【図８】同上膨張袋の取付後の要部右側面図である。
【符号の説明】
【００２１】
１      ズボン仕上げ機
２      フレーム
３      膨張袋
４      セット板
５      ズボン
５ａ    腰回り部
６      上側の開口周縁部
７      セット板周りの内側周縁部
８      袋状部
１１    紐
１１ａ  環状の引っ掛け部
１２    突起
【図１】
2005137535.tif 000003
【図２】
2005137535.tif 000004
【図３】
2005137535.tif 000005
【図４】
2005137535.tif 000006
【図５】
2005137535.tif 000007
【図６】
2005137535.tif 000008
【図７】
2005137535.tif 000009
【図８】
2005137535.tif 000010